(57)【特許請求の範囲】
【請求項１】
内視鏡を自動的に洗滌消毒する内視鏡洗滌消毒装置において、装置内の消毒液タンクに消毒液ボトルを接続する消毒液供給管路と、この消毒液供給管路を通じて消毒液ボトルの消毒液を上記消毒液タンクヘ注入させる送液手段とを具備し、消毒液タンクへ消毒液ボトルの消毒液を自動的に注入させる工程を選択できるようにしたことを特徴とする内視鏡洗滌消毒装置。
【発明の詳細な説明】
【０００１】
【発明の属する技術分野】
本発明は、内視鏡を洗滌・消毒する内視鏡用洗滌消毒装置に関する。
【０００２】
【従来の技術】
現在、内視鏡は特に体腔内の検査や治療の目的で頻繁に使用されている。内視鏡を洗滌消毒するための内視鏡用洗滌消毒装置が特願平７−１８９２１０号の出願等において知られている。この種の内視鏡用洗滌消毒装置は洗滌槽内に内視鏡をセットした後、洗滌槽内に洗滌水を溜め、流液または超音波等により内視鏡の洗滌を行うとともに、内視鏡のチャンネル内へ送液することにより、内視鏡を洗滌する。その後、コンプレッサーからの圧縮空気を内視鏡の各チャンネル内に送気し、そのチャンネル内の液を除去する。その後、洗滌槽内へ消毒液を供給して消毒液中に内視鏡を浸漬し、また内視鏡の各管路内に消毒液を送液することにより内視鏡の消毒を行い、内視鏡の各チャンネル内へ圧縮空気を送気することにより各チャンネル内から消毒液を排出する。さらに清浄水によりすすぎを行い、最後に内視鏡のチャンネル内へ送気を行ってチャンネル内の除水を行うようになっている。
【０００３】
【発明が解決しようとする課題】
（従来の問題点）
ところで、上記従来の内視鏡用洗滌消毒装置において、洗滌された内視鏡を消毒するために使用する消毒液は、通常、装置本体内に設置された消毒液タンクに貯留されている。そして、内視鏡を消毒する際に洗滌槽内へ供給し、内視鏡消毒後は消毒液タンク内に回収するようにしている。
【０００４】
しかし、消毒液は化学薬品であり、使用頻度に限界があり、また、使用期限を過ぎると、新たなものと交換する必要がある。このために、使用頻度または使用期間がオーバーした場合、消毒液タンク内の消毒液を新しいものと交換するようにしている。
【０００５】
消毒液タンク内の消毒液を新しいものと交換する場合、従来の方法では消毒液タンク内の消毒液を排出した後、ユーザー自身が新しい消毒液の入った消毒液ボトルを手で持ち上げて、消毒液タンクの注入口から直接に流し込んで注入していた。通常、消毒液は３〜５リットルの消毒液ボトルに納められており、その消毒液ボトルはかなり重い。したがって、消毒液の入った消毒液ボトルを手で持ち上げて消毒液の注入作業を行うことは、その作業性が非常に悪く、かつユーザーにとって消毒液注入作業は重労働であった。
また、消毒液注入時に作業者が消毒液の飛散を浴びたり蒸気成分を吸引したりすることも有り得、また、そのため、細心の注意を持って行わなければならず、管理作業の難しいものとなっていた。
【０００６】
（本発明の目的）
本発明は前述した従来の問題点に着目してなされたもので、その目的とするところは消毒液タンクの消毒液を交換する時の作業性を向上し、ユーザーの負担を軽減すると共に、ユーザーに対する衛生管理上の改善も図ることができる内視鏡用洗滌消毒装置を提供することにある。
【０００７】
【課題を解決するための手段および作用】
（手段）
本発明は、内視鏡を自動的に洗滌消毒する内視鏡洗滌消毒装置において、装置内の消毒液タンクに消毒液ボトルを接続する消毒液供給管路と、この消毒液供給管路を通じて消毒液ボトルの消毒液を上記消毒液タンクヘ注入させる、ポンプまたはコンプレッサー等の送液手段とを設け、消毒液タンクへ消毒液ボトルの消毒液を自動的に注入させる工程を選択できるようにしたものである。
【０００８】
（作用）
ポンプまたはコンプレッサー等の送液手段を作動させることにより、消毒液供給管路を通じて、消毒液ボトルより消毒液を自動的に消毒液タンクに注入させることができる。
【０００９】
【発明の実施の形態】
（第１の実施形態）
図１を参照して、本発明の第１の実施形態に係る内視鏡用洗滌消毒装置について説明する。図１はその内視鏡用洗滌消毒装置全体の構成を概略的に示す説明図である。
【００１０】
図１中、１は洗滌槽であり、この洗滌槽１の中には内視鏡２が設置されるようになっている。図１中、３は洗滌槽１の蓋である。洗滌槽１の底面部には例えばランジュバン型の超音波振動子の振動板４が取り付けられている。超音波振動子により振動板４を振動させることにより洗滌槽１内の洗滌液に超音波振動を与えて、洗滌液中の内視鏡１を超音波洗滌するようになっている。さらに洗滌槽１内の中央部にはその洗滌槽１内の液量を削減するための塔５が設けられている。この塔５の内側には洗滌槽１内の液体を加保温するためのヒータ６が設けられている。
【００１１】
また、洗滌槽１には流液噴出口７と循環液吸引口８が設けられている。流液噴出口７と循環液吸引口８には装置本体内に設けた流液洗滌用管路９が接続されている。流液洗滌用管路９の途中には流液洗滌用ポンプ１０が設けられている。流液洗滌用ポンプ１０は循環液吸引口８から洗滌槽１内の洗滌液を吸引し、この洗滌液を高圧にして流液噴出口７から洗滌槽１内に噴射させる。
【００１２】
装置本体内にはスコープ管路内洗滌用管路１１が設けられている。スコープ管路内洗滌用管路１１の途中にはスコープ管路内洗滌用ポンプ１２と逆止弁１３が設けられている。そして、スコープ管路内洗滌用管路１１の一端は上記循環液吸引口８に接続されており、スコープ管路内洗滌用管路１１の他端側は電磁開閉弁１４を介してチャンネル接続口１５に通じる管路１６と、電磁開閉弁１７を介して天井面洗滌ノズル１８に通じる管路１９とに分岐している。
【００１３】
チャンネル接続口１５に通じる管路１６と天井面洗滌ノズル１８に通じる管路１９には逆止弁２１を介してコンプレッサー２２に通じるエアー供給管路２３が接続されている。そして、コンプレッサー２２からの圧縮空気をチャンネル接続口１５と天井面洗滌ノズル１８に送り、内視鏡２のチャンネル内と洗滌槽１の天井面の除水を行うようになっている。
【００１４】
また、エアー供給管路２３から分岐して設けられた管路２４には電磁弁２５を介して、図示していないエアーガンを接続する、逆止弁付きのコネクター２６が接続されている。
【００１５】
チャンネル接続口１５には内視鏡管路洗滌用チューブ２７を接続するようになっており、このチューブ２７は洗滌槽１内において図示しない内視鏡操作部保持部材上に設置された内視鏡２の各種チャンネルの口部に接続される。
【００１６】
一方、洗滌槽１の上部には給水口を兼ねた消毒液注入口３１が設けられ、また、洗滌槽１の底部には排液口３２が設けられている。さらに、装置本体内には消毒液タンク３３が設置されている。消毒液タンク３３の底部には管路切換え手段としての、電磁式の３方弁３４を介して消毒液供給管路３５と消毒液注入管路３６とが接続されている。消毒液供給管路３５の途中には、ローラーポンプ等の少なくとも自給式の消毒液注入ポンプ３７が設けられている。消毒液供給管路３５の他端は逆止弁３８を介して、上記消毒液注入口３１に接続されている。
【００１７】
消毒液注入管路３６はこれを接続するための、３方弁３４の口部に対して着脱自在なチューブ等からなり、これの他端には消毒液ボトル３９を接続できるようになっている。
【００１８】
消毒液注入口３１には逆止弁４１を介して給水管路４２が接続されている。給水管路４２は給水弁４３を介して、例えば水道系等の給水源４４に接続される。給水管路４２の途中には給水フィルタ４５が設けられている。逆止弁３８，４１は給水と消毒液が逆流しないように各管路に設置されている。
【００１９】
上記洗滌槽１の排液口３２には管路切換え弁４６を介して消毒液タンク３３に通じる戻し管路４７と排液管路４８が接続されている。管路切換え弁４６は排液口３２を閉塞遮断する状態と、排液口３２を戻し管路４７に連通させる状態と、排液口３２を排液管路４８に連通させる状態のいずれかに、制御部からの指令によって切り換えられるようになっている。
【００２０】
上記排液管路４８はその途中に排液ポンプ４９を設け、管路切換え弁４６を排液管路４８側に切り換えて排液ポンプ４９を駆動させることにより洗滌槽１内の液体を装置外へ強制的に排出するようになっている。
【００２１】
次に、上記構成の作用について説明する。洗滌消毒装置を使用するときには、まず洗滌槽１に内視鏡２をセットし、内視鏡管路洗滌用チューブ２７の一端を内視鏡２のチャンネル口に接続すると共に、内視鏡管路洗滌用チューブ２７の他端をチャンネル接続口１５に連結する。その後、図示しない各種操作スイッチの操作を行って、洗滌消毒装置の運転を行う。これに伴い、以下の如くの、洗滌、消毒、すすぎ、送気の各工程が行われる。
【００２２】
まず、洗滌工程では、初めに給水弁４３が開き、例えば水道水等の給水源４４からの洗滌水を、給水管路４２および給水フィルタ４５を通して給水口を兼ねた消毒液注入口３１から洗滌槽１内に供給する。一定時間後、流液洗滌が開始され、給水は一定の水位になると自動的に停止する。この工程では内視鏡２に付着した大きな汚れ、柔らかい汚れ、軽い汚れ等が洗滌される。すなわち洗滌槽１内で渦巻いている液流や噴出口から噴出された流液の衝撃力によって汚れが落とされる。
【００２３】
予め設定された流液洗滌の工程時間が過ぎると、続いて、超音波洗滌が行われる。この超音波洗滌では内視鏡２に付着した堅い汚れや、複雑形状部の汚れ等が強力に落とされる。超音波洗滌工程が終了すると、再び流液洗滌が行われる。この工程では超音波洗滌によって、ふやけて内視鏡２から剥がれかかった汚れが落とされる。
【００２４】
洗滌工程が終了すると、管路切換え弁４６を排液側に切り換えると同時に排液ポンプ４９が駆動され、洗滌槽１内の洗滌液を排液管路４８を通じて外部へ排出する。その後、再び、給水弁４３が開いて新しい水が洗滌槽１内に供給されると共に、流液洗滌用ポンプ１０及びスコープ管路内洗滌用ポンプ１２が駆動され、すすぎが行われる。このすすぎ工程の間に、予め設定された時間及び回数で電磁開閉弁１４，１７の開閉を逆にして、天井面洗滌管路ノズル１８にすすぎ水を送り、洗滌槽２内の天井面を洗浄する工程を行う。
【００２５】
このすすぎ工程の後半ではスコープ管路内洗滌用ポンプ１２が停止されると共に、コンプレッサー２２がＯＮされ、チャンネル接続口１５を介して内視鏡２の各種チャンネル内へエアーが送り込まれ、内視鏡２のチャンネル内の水切りを行う。また、この工程の間に、予め設定された時間及び回数で電磁開閉弁１４，１７の開閉を逆にすることで、天井面洗滌ノズル１８にエアーを送り込み、その天井面の水切りが行われる。
【００２６】
すすぎ工程が終了した後、続いて消毒工程が行われる。この消毒工程では初めに消毒液タンク３３の中に収納されている消毒液が、注入ポンプ３７を運転することにより消毒液供給管路３５を介して、注入口３１から洗滌槽１内に供給される。内視鏡２の全体は洗滌槽１内に溜められた消毒液に完全に浸漬されるとともに、スコープ管路内洗滌用ポンプ１２のオン操作により洗滌槽１内の一部の消毒液がチャンネル接続口１５に供給され、内視鏡２のチャンネル内の消毒が行われる。この消毒工程により、装置内の、汚れる管路全てに消毒液が回るため、装置内も自動的に消毒することができる。そして、所定時間が経過すると、管路切換え弁４６が消毒液回収側に開き、消毒液は消毒液タンク３３内に回収される。
【００２７】
消毒工程の終了後、続いて再びすすぎ工程が行われる。その後、コンプレッサー２２の運転により内視鏡２のチャンネル内の水切りが完全に行われる。さらに一定時間経過した後、排液ポンプ４９が停止する。
【００２８】
また、洗滌槽１や内視鏡２のチャンネル内の残液の除水方法として、コンプレッサー２２を作動させ、装置に具備された逆止弁付きのコネクター２６に図示していないエアーガンを接続することで、そのエアーガンの先端より噴射される高圧エアーより行ってもよい。
【００２９】
以上の内視鏡洗滌消毒工程を何度か繰り返しているうちに、その際に使用されてきた消毒液はその消毒効果を次第に失ってくる。このため、消毒液タンク３３内の消毒液を定期的に交換する必要がある。
【００３０】
そこで、消毒液タンク３３内の消毒液を交換する場合について述べる。まず、消毒液タンク３３内の消毒液を廃棄する。この消毒液の廃棄を次のようにして行う。つまり、３方弁３４に消毒液注入管路３６を接続し、この消毒液注入管路３６の他端に空の廃棄用消毒液ボトル３９を接続する。この廃棄用消毒液ボトル３９を消毒液タンク３３の下方に位置させて、３方弁３４を消毒液タンク３３側に切り換えて、消毒液タンク３３と消毒液注入管路３６を連通する状態とする。すると、消毒液タンク３３内の消毒液は自重落下により消毒液注入管路３６を通じて空の消毒液ボトル３９内に流入する。消毒液タンク３３内の消毒液が全て排出された後、その消毒液ボトル３９を消毒液注入管路３６から取り外す。
【００３１】
ついで、図１で示す如く、消毒液注入管路３６の他端に、新しい消毒液が入った消毒液ボトル３９を接続する。そして、３方弁３４を、消毒液供給管路３５と消毒液注入管路３６が連通する状態に切り換え、消毒液注入ポンプ３７を運転すると、消毒液ボトル３９内の消毒液は、自吸式の消毒液注入ポンプ３７により消毒液注入管路３６及び消毒液供給管路３５を通じて一旦、洗滌槽１内に注入される。この後、管路切換え弁４６を戻し管路４７側に切り換えて、洗滌槽１内の消毒液を戻し管路４７を通じて消毒液タンク３３内に注入する。
【００３２】
ここで、電磁式３方弁３４と、消毒液供給管路３５または消毒液注入管路３６との接続、及び消毒液注入管路３６と消毒液ボトル３９との着脱はワンタッチ式の構造にすれば、その接続の作業性を上げることが可能であり、また、ワンタッチで着脱できれば、消毒液のユーザーに対する安全性の向上にもなる。
【００３３】
尚、消毒液タンク３３内の古い消毒液を廃棄する場合、洗滌槽１内に一旦、送り込み、これを消毒液タンク３３内に回収せず、管路切換え弁４６を排液管路４８側に切り換えて排液ポンプ４９を運転することにより排液管路４８を通じて古い消毒液を排出するようにしてもよい。
【００３４】
以上の如く、装置内の消毒液タンク３３に消毒液ボトル３９を接続する供給管路系を構成し、さらに、この管路系を通じて消毒液ボトル３９の消毒液を上記消毒液タンク３３ヘ注入させる送液手段を構成したから消毒液ボトル３９の消毒液を消毒液タンク３３へ注入させる動作を自動的に逐行させることも可能である。従って、消毒液タンク３９内の消毒液の交換作業が簡略化され、消毒液交換作業性を向上し、ユーザーの負担を軽減すると共に、ユーザーに対する衛生管理上の改善も図ることができる。また、ユーザーへの消毒液の飛び散り、消毒液の蒸気成分を吸引したりすることがなく、ユーザーに対する衛生管理上の改善も図ることができる。
【００３５】
（第２の実施形態）
図２を参照して、本発明の第２の実施形態に係る内視鏡用洗滌消毒装置について説明する。この内視鏡用洗滌消毒装置の前提的構成は前述した第１の実施形態のものと同様である。
【００３６】
前述した第１の実施形態における消毒液注入ポンプ３７は自吸式のポンプが用いられていた。一般に、自吸式のポンプは流量が得られない。このため、通常の消毒工程における消毒液の注入には時間がかかり、消毒工程に時間が余計にかかることになる。
【００３７】
そこで、この第２の実施形態のものでは消毒液タンク３３の底部に消毒液供給管路３５を接続し、この消毒液供給管路３５の途中に消毒液供給用ポンプ５１を設け、さらに消毒液供給管路３５の途中にあって、消毒液供給用ポンプ５１より下流側の途中部分には消毒液電磁式の３方弁５２を設ける。そして、３方弁５２は消毒液タンク３３に通じる接続端と、洗滌槽１に通じる接続端の他、消毒液ボトル５３に通じる接続端を設けるものとする。消毒液ボトル５３に通じる接続端には消毒液ボトル５３に通じる排液管路５４を接続してある。消毒液ボトル５３は図示しないボトル収納室内に着脱自在に装填できるようになっており、ボトル収納室には新たな消毒液を入れた消毒液ボトル５３と、廃棄する消毒液を入れる空の消毒液ボトル５３のいずれかを選択して装填するようになっている。
【００３８】
また、消毒液タンク３３には消毒液注入管路５５を接続し、この消毒液注入管路５５の途中には自吸式の消毒液注入用ポンプ５６を設ける。消毒液注入管路５５の他端は上記消毒液ボトル５３に接続されている。消毒液注入用ポンプ５６は特に自吸式のものとする。一方、上記消毒液供給用ポンプ５１はそれよりも大量の送液流量が得られるものとする。
【００３９】
通常の消毒工程時において、消毒液タンク３３から洗滌槽１に消毒液を注入するときは消毒液供給用ポンプ５１が作動し、これにより、洗滌槽１に消毒液を供給するので、その供給時間を短縮し、消毒工程時間を短縮させることができる。
【００４０】
また、消毒液タンク３３と３方弁５２の間に消毒液供給用ポンプ５１を設置してあるので、消毒液タンク３３から消毒液を排出するとき、消毒液の自重のみではなく、その消毒液供給用ポンプ５１を作動させることにより、消毒液を強制的に排出させることができるので、このようにすれば、消毒液の排出時間をより短縮することができる。
【００４１】
消毒液ボトル５３から消毒液タンク３３への消毒液を注入するときは自吸式の消毒液注入用ポンプ５６を用いる。自吸式のポンプを用いても、この注入作業はポンプ消毒工程が始まるまでに終わっていれば良いので、時間の制約がなく問題はない。
【００４２】
また、この第２の実施形態では図示しないボトル収納室内に、廃棄する消毒液を入れる空の消毒液ボトル５３または新たな消毒液を入れた消毒液ボトル５３を着脱自在に装填できるようになっており、ボトル収納室内に装填した状態でワンタッチで管路に接続するように構成する。また、排液回収もボトルごと捨てられるようにする。
【００４３】
（第３の実施形態）
図３を参照して、本発明の第３の実施形態に係る内視鏡用洗滌消毒装置について説明する。この内視鏡用洗滌消毒装置の前提的構成は前述した第１の実施形態のものと同様である。
【００４４】
この実施形態では前述した第１の実施形態においての流液洗滌系を利用して新たな消毒液を消毒液タンク３３に供給するようにしたものである。洗滌槽１の循環液吸引口８に装着可能な、少なくとも密閉性が高いコネクター６１を具備したホース６２を設け、このホース６２の他端を、新しい消毒液の入った消毒液ボトル６３に、差し込むなどにより接続するようにする。さらに装置本体内の上記流液洗滌系の流液洗滌用ポンプ１０を自吸式のものとする。
【００４５】
そこで、新しい消毒液を消毒液タンク３３に注入する場合、予め、前述したような方法で消毒液タンク３３内の古い消毒液を廃棄しておく。その後、洗滌槽１の循環液吸引口８にコネクター６１を装着し、ホース６２の他端を消毒液ボトル６３に接続し、流液洗滌用ポンプ１０を作動させることで、その消毒液ボトル６３内の消毒液を洗滌槽１内に供給する。管路切換え弁４６を消毒液タンク３３側に切り換えることにより洗滌槽１内に供給された消毒液を消毒液タンク３３内に注入する。
【００４６】
以上の如く、装置本体内の流液洗滌系を利用して、装置内の消毒液タンク３３に消毒液ボトル６３を接続する管路系を構成し、さらに、流液洗滌系を利用して消毒液ボトル６３の消毒液を上記消毒液タンク３３ヘ注入させるようにしたから消毒液注入の簡易化を一層、促進できる。
【００４７】
（第４の実施形態）
図４及び図５を参照して、本発明の第４の実施形態に係る内視鏡用洗滌消毒装置について説明する。この内視鏡用洗滌消毒装置の前提的構成は前述した第１の実施形態のものと同様である。
【００４８】
前述した第１の実施形態の構成において、そのコンプレッサー２２に通じる新たなエアー供給管路７１を設け、このエアー供給管路７１の途中には電磁開閉弁７２を設ける。エアー供給管路７１の先端にはエアーガン７３を設ける。また洗滌槽１のチャンネル接続口１５に通じる管路１６にも電磁開閉弁７４を設ける。さらに前述した第１の実施形態における消毒液タンク３３に接続される消毒液注入管路７５を設ける。
【００４９】
そして、エアーガン７３と、消毒液注入管路７５を着脱自在に消毒液ボトル７６に接続できるようにする。図５はその接続構造の一例を示すものである。すなわち消毒液ボトル７６の口部に気密的に着脱可能なキャップ７７を取り付ける。このキャップ７７には２つの管路７８，７９を設け、その１つの管路７８は装置本体内の消毒液タンク３３に連通させる消毒液注入管路７５を接続するものであり、もう片方の管路７９はエアーガン７３の高圧エアー吐出口部８１を接続するものである。
【００５０】
そこで、消毒液タンク３３に新しい消毒液を注入する場合、予め消毒液タンク３３内の古い消毒液を廃棄して空にする。その後、装置本体のコンプレッサー２２を作動させると共に、チャンネル接続口１５に通じる管路１６にある電磁開閉弁７４を閉じ、エアー供給管路７１にある電磁開閉弁７２を開くことで、消毒液ボトル７６内にはエアー供給管路７１を介して高圧エアーが注入され、その圧力で、消毒液ボトル７６内の消毒液が消毒液注入管路７５を通じて消毒液タンク３３内に自動的に注入される。
【００５１】
ここで、図５で示す様に、キャップ７７をゴムキャップとして、消毒液注入管路７５の他端部を消毒液ボトル７６に着脱可能に接続するようにしても良い。また、エアーガン７３の高圧エアー吐出口８１はゴムキャップの孔部８２に押し込むように接続し、キャップ７７と消毒液ボトル７６、キャップ７７と消毒液注入管路７５、及びエアー供給管路７１とエアーガン７３の高圧エアー吐出口部８１との、それぞれの接続は少なくとも密閉性を保ち、且つ簡単に接続できるようにする。
【００５２】
尚、上記エアーガン７３としては前述した第１の実施形態のコンプレッサー２２に通じるエアー供給管路２３から分岐して設けた逆止弁付きのコネクター２６に接続して使用する形式のものでもよい。
【００５３】
前述した説明によれば少なくとも以下のような事項が得られる。また、選択的に複数の事項を組み合わせることも可能である。
＜付記＞
１．内視鏡を自動的に洗滌消毒する内視鏡洗滌消毒装置において、装置内の消毒液タンクに消毒液ボトルを接続する消毒液供給管路と、この消毒液供給管路を通じて消毒液ボトルの消毒液を上記消毒液タンクヘ注入させる送液手段とを具備し、消毒液タンクへ消毒液ボトルの消毒液を自動的に注入させる工程を選択できるようにしたことを特徴とするもの。
【００５４】
２．送液手段は装置内の自吸式のポンプまたはコンプレッサーの作用により送液するものであることを特徴とする内視鏡洗滌消毒装置。
３．消毒液タンク内の消毒液を洗滌槽内に注入する消毒液ポンプを具備した内視鏡洗滌消毒装置において、少なくとも自吸式の消毒液ポンプと消毒液ポンプの吸い込み側に設けた分岐部と、この分岐部から装置外部にまで連通した管路と、この管路に着脱でき、且つ消毒ボトルにも着脱できる消毒液注入管路を設置し、消毒液ボトル及び前記分岐部へ消毒液注入管路を接続し、消毒液ポンプの作用により、消毒液ボトル内の消毒液を装置内の消毒液タンクに注入するようにしたことを特徴とするもの。
【００５５】
４．前記第２項の内視鏡洗滌消毒装置において、少なくとも装置内の自吸式ポンプの吸い込み口と消毒液ボトルを接続できる消毒液注入管路と、自吸式ポンプの出口側が消毒液タンクに連通された管路を設置することで、自吸式ポンプの吸い込み口と消毒液ボトルを消毒液注入管路で接続し、この自吸式ポンプの作動により、消毒液を装置内の消毒液タンクに注入することを特徴とするもの。
【００５６】
５．前記第２項の内視鏡洗滌消毒装置において、少なくともコンプレッサーと、コンプレッサーからの管路が形成されているコネクターと、前記コネクターに接続できる圧縮空気吐出手段と、前記圧縮空気吐出手段の圧縮空気吐出口と消毒液ボトルを接続する管路と、消毒液ボトルから装置内の消毒液タンクヘ接続できる消毒液注入管路を設置することで、消毒液ボトルへの接続管路をそれぞれ接続し、コンプレッサーを作動させることで、消毒液ボトル内の消毒液を装置内の消毒液タンクヘ注入することを特徴とするもの。
【００５７】
【発明の効果】
本発明によれば、消毒液タンク内の消毒液の交換作業が簡略化され、消毒液交換作業性を向上し、ユーザーの負担を軽減すると共に、ユーザーに対する衛生管理上の改善も図ることができる。また、ユーザーへの消毒液の飛び散り、消毒液の蒸気成分を吸引したりすることがなく、ユーザーに対する衛生管理上の改善も図ることができる。
【図面の簡単な説明】
【図１】第１の実施形態に係る内視鏡用洗滌消毒装置全体の構成の概略的説明図。
【図２】第２の実施形態に係る内視鏡用洗滌消毒装置の要部を概略的に示す説明図。
【図３】第３の実施形態に係る内視鏡用洗滌消毒装置の要部を概略的に示す説明図。
【図４】第４の実施形態に係る内視鏡用洗滌消毒装置の要部を概略的に示す説明図。
【図５】同じく第４の実施形態に係る内視鏡用洗滌消毒装置の消毒液ボトル接続構造の一例を示す斜視図。
【符号の説明】
１…洗滌槽、２…内視鏡、３３…消毒液タンク、３４…３方弁、
３５…消毒液供給管路、３６…消毒液注入管路、３７…消毒液注入ポンプ、
３９…消毒液ボトル、５１…消毒液供給用ポンプ、５２…３方弁、
５３…消毒液ボトル、５５…消毒液注入管路、５６…消毒液注入用ポンプ、
６１…コネクター、６２…ホース、６３…消毒液ボトル、７２…電磁開閉弁、
７３…エアーガン、７５…消毒液注入管路、７６…消毒液ボトル。
【図１】
0003725679.tif 000002
【図２】
0003725679.tif 000003
【図３】
0003725679.tif 000004
【図４】
0003725679.tif 000005
【図５】
0003725679.tif 000006